(57)【要約】【課題】ロッカーの鍵として情報の内容が秘匿された情報鍵を用いて施錠解錠を行う。【解決手段】１ブロック毎のロッカーに割り当てられたロッカー識別情報を含む暗号化前情報を、暗号鍵により暗号化し、この暗号化した情報を二次元バーコード情報へ変換して出力する。出力された二次元バーコード情報を読み取りディジタルコード化した情報に対し前記暗号鍵を用いて復号化した暗号化前情報から１ブロック毎のロッカーに割り当てられたロッカー識別情報を含む情報とを取り出し、予め保持しているロッカー識別情報を含む情報と比較して当該ロッカーの施錠解錠を制御するロッカー管理装置１とを具備する。【選択図】図１
2007186918.tif 000002
【特許請求の範囲】
【請求項１】
１ブロック毎のロッカーに割り当てられたロッカー識別情報を含む暗号化前情報を、暗号鍵により暗号化し、この暗号化した情報を二次元バーコード情報へ変換して出力する二次元バーコード出力装置と、
二次元バーコード情報を読み取りディジタルコード化し、このディジタルコードを前記暗号鍵を用いて復号化して暗号化前情報とし、暗号化前情報から１ブロック毎のロッカーに割り当てられたロッカー識別情報を含む情報を取り出し、予め保持しているロッカー識別情報を含む情報と比較して、比較結果に基づいて当該ロッカーの対応する個別箱の施錠解錠を制御するロッカー管理装置と
を具備することを特徴とするロッカー管理システム。
【請求項２】
ロッカー管理装置では、二次元バーコード情報の読取回数を管理し、読取回数に応じて錠前の施錠と解錠を行うことを特徴とする請求項１に記載のロッカー管理システム。
【請求項３】
二次元バーコード出力装置には、二次元バーコード情報を印刷出力する印刷装置または二次元バーコード情報を画像情報として出力する情報出力装置の少なくとも一方が備えられていることを特徴とする請求項１または請求項２に記載のロッカー管理システム。
【請求項４】
二次元バーコード出力装置及びロッカー管理装置は、ユーザによるユーザ情報を受け付ける入力受付手段を具備し、
二次元バーコード出力装置では、入力されたユーザ情報を入力受付手段から受け付け暗号化前情報に含めて暗号化及び二次元バーコード情報化を行う一方、
ロッカー管理装置では、入力されたユーザ情報を入力受付手段から受け付け、復号した暗号化前情報に含まれるユーザ情報と比較して、この比較結果を当該ロッカーの対応する個別箱の施錠解錠における制御に用いることを特徴とする請求項１乃至３のいずれか１項に記載のロッカー管理システム。
【請求項５】
ロッカー管理装置は、ユーザによるユーザ情報を受け付ける入力受付手段を具備し、
二次元バーコード出力装置では、当選番号となるユーザ情報を予め暗号化前情報に含めて暗号化及び二次元バーコード情報化を行う一方、
ロッカー管理装置では、入力されたユーザ情報を入力受付手段から受け付け、復号した暗号化前情報に含まれるユーザ情報と比較して、この比較結果を当該ロッカーの対応する個別箱の施錠解錠における制御に用いることを特徴とする請求項１乃至３のいずれか１項に記載のロッカー管理システム。
【請求項６】
二次元バーコード出力装置では、当選落選番号情報を予め暗号化前情報に含めて暗号化及び二次元バーコード情報化を行う一方、
ロッカー管理装置では、復号した暗号化前情報に含まれる当選落選番号情報に基づき当該ロッカーの対応する個別箱の施錠解錠における制御に用いることを特徴とする請求項１乃至３のいずれか１項に記載のロッカー管理システム。
【請求項７】
二次元バーコード出力装置では、サービス開始時情報を予め暗号化前情報に含めて暗号化及び二次元バーコード情報化を行う一方、
ロッカー管理装置では、復号した暗号化前情報に含まれるサービス開始時情報と現在時に基づき、当該ロッカーの対応する個別箱の施錠解錠における制御を行うことを特徴とする請求項１乃至３のいずれか１項に記載のロッカー管理システム。
【発明の詳細な説明】
【技術分野】
【０００１】
この発明はロッカーにおける錠前の施錠解錠に関する制御を、暗号情報を二次元コード化した二次元コード情報を用いて行うロッカー管理システムに関するものである。
【背景技術】
【０００２】
従来、ロッカーにおける錠前の施錠解錠に関しては、鉄製などの鍵（物理的な鍵）が用いられており、荷物の受け取り場所などとしてロッカーを用いる場合には物理的な鍵を送るなどする必要があり、実際的ではなかった。
【０００３】
上記に対し、ロッカーを荷物の受け取り場所とする物品配送先指定方法が特許文献１に示されている。この物品配送先指定方法では、受取者がロッカーに設けられたキーボードからパスワードと注文番号を入力し、注文番号に基づき作成したハッシュ値とネットワークを介して送られてきたコードに基づき作成したハッシュ値を比較して一致すると、解錠するものとなっている。
【特許文献１】特開２００３−１６０２３１号公報
【０００４】
しかしながら、上記特許文献１に記載の物品配送先指定方法は、荷物配送業者がロッカーに荷物を入れて施錠するものであり、例えばＡさんがロッカーに荷物を入れて施錠し、Ｂさんが荷物を受け取る場合などに用いることは考慮されていない。即ち、施錠の権利がロッカー管理者側にあり、通常のロッカーのように使用することはできない。
【発明の開示】
【発明が解決しようとする課題】
【０００５】
発明が解決しようとする課題は、ロッカーの鍵として情報の内容が秘匿された情報鍵を用いて通常のロッカーのように施錠解錠を行ってロッカーを使用することのできるロッカー管理システムを提供することにある。
【課題を解決するための手段】
【０００６】
本発明に係るロッカー管理システムは、１ブロック毎のロッカーに割り当てられたロッカー識別情報を含む暗号化前情報を、暗号鍵により暗号化し、この暗号化した情報を二次元バーコード情報へ変換して出力する二次元バーコード出力装置と、二次元バーコード情報を読み取りディジタルコード化し、このディジタルコードを前記暗号鍵を用いて復号化して暗号化前情報とし、暗号化前情報から１ブロック毎のロッカーに割り当てられたロッカー識別情報を含む情報を取り出し、予め保持しているロッカー識別情報を含む情報と比較して、比較結果に基づいて当該ロッカーの対応する個別箱の施錠解錠を制御するロッカー管理装置とを具備することを特徴とする。
【０００７】
本発明に係るロッカー管理システムでは、ロッカー管理装置は、二次元バーコード情報の読取回数を管理し、読取回数に応じて錠前の施錠と解錠を行うことを特徴とする。
【０００８】
本発明に係るロッカー管理システムは、二次元バーコード出力装置には、二次元バーコード情報を印刷出力する印刷装置または二次元バーコード情報を画像情報として出力する情報出力装置の少なくとも一方が備えられていることを特徴とする。
【０００９】
本発明に係るロッカー管理システムは、二次元バーコード出力装置及びロッカー管理装置は、ユーザによるユーザ情報を受け付ける入力受付手段を具備し、二次元バーコード出力装置では、入力されたユーザ情報を入力受付手段から受け付け暗号化前情報に含めて暗号化及び二次元バーコード情報化を行う一方、ロッカー管理装置では、入力されたユーザ情報を入力受付手段から受け付け、復号した暗号化前情報に含まれるユーザ情報と比較して、この比較結果を当該ロッカーの対応する個別箱の施錠解錠における制御に用いることを特徴とする。
【００１０】
本発明に係るロッカー管理システムでは、ロッカー管理装置は、ユーザによるユーザ情報を受け付ける入力受付手段を具備し、二次元バーコード出力装置では、当選番号となるユーザ情報を予め暗号化前情報に含めて暗号化及び二次元バーコード情報化を行う一方、ロッカー管理装置では、入力されたユーザ情報を入力受付手段から受け付け、復号した暗号化前情報に含まれるユーザ情報と比較して、この比較結果を当該ロッカーの対応する個別箱の施錠解錠における制御に用いることを特徴とする。
【００１１】
本発明に係るロッカー管理システムは、二次元バーコード出力装置では、当選落選番号情報を予め暗号化前情報に含めて暗号化及び二次元バーコード情報化を行う一方、ロッカー管理装置では、復号した暗号化前情報に含まれる当選落選番号情報に基づき当該ロッカーの対応する個別箱の施錠解錠における制御に用いることを特徴とする。
【００１２】
本発明に係るロッカー管理システムは、二次元バーコード出力装置では、サービス開始時情報を予め暗号化前情報に含めて暗号化及び二次元バーコード情報化を行う一方、ロッカー管理装置では、復号した暗号化前情報に含まれるサービス開始時情報と現在時に基づき、当該ロッカーの対応する個別箱の施錠解錠における制御を行うことを特徴とする。
【発明の効果】
【００１３】
本発明に係るロッカー管理システムにあっては、１ブロック毎のロッカーに割り当てられたロッカー識別情報を含む暗号化前情報を、暗号鍵により暗号化し、この暗号化した情報を二次元バーコード情報へ変換して出力し、この二次元バーコード情報をロッカーキーとして用いるので、ロッカーキーの引き渡しを物理的な鍵の引き渡しによることなく、画像情報を引き渡すことにより実現でき極めて便利である。また、施錠についても、上記で出力された二次元バーコード情報をロッカーキーとして用いればよく、通常のロッカーのように使用することが可能であるという効果を奏する。
【発明を実施するための最良の形態】
【００１４】
本発明では、１ブロック毎のロッカーに割り当てられたロッカー識別情報を含む暗号化前情報を、暗号鍵により暗号化し、この暗号化した情報を二次元バーコード情報へ変換して出力し、この二次元バーコード情報をロッカーキーとして用いるときには、この二次元バーコード情報を読み取らせてディジタルコード化し、このディジタルコードを上記暗号鍵を用いて復号化して暗号化前情報とし、暗号化前情報から１ブロック毎のロッカーに割り当てられたロッカー識別情報を含む情報とを取り出し、予め保持しているロッカー識別情報を含む情報と比較して、比較結果に基づいて当該ロッカーの対応する個別箱の施錠解錠を制御する構成とすることにより、ロッカーキーの引き渡しを物理的な鍵の引き渡しによることなく実現するという目的を達成したものである。
【実施例１】
【００１５】
以下添付図面を参照して、本発明に係るロッカー管理システムの実施例を説明する。各図において同一の構成要素には同一の符号を付して重複する説明を省略する。図１には、第１の実施例に係るロッカー管理システムの構成図が示されている。１ブロック（ここでは、一台であるが、複数台でも良い）のロッカー２に対して、ロッカー管理装置１が設けられている。このロッカー管理装置１は二次元バーコード出力装置としても機能するものである。
【００１６】
ロッカー管理装置１では、ＣＰＵにより構成される制御部１０にメモリ１１が接続されており、メモリ１１内のプログラムに基づき制御部１０がロッカー管理や二次元バーコード出力に係る動作を行う。また、制御部１０には、錠制御部１２、二次元コードデコード部１３、読取部１４、課金処理装置１５、操作部１６、二次元バーコードを印刷する印刷装置としてのプリンタ１７、表示部１８及びタイマ１９が接続されている。上記の錠制御部１２は、ロッカー２における各個別箱の錠について施錠及び解錠を制御するものである。二次元コードデコード部１３は、ディジタルコードを二次元バーコード化し、また逆に二次元バーコードイメージをディジタルコード化するものである。
【００１７】
読取部１４は、イメージスキャナにより構成され、プリントされた或いは携帯電話機の表示部に表示された二次元バーコードをイメージデータとして読み取るものである。課金処理装置１５は、ロッカーの使用料に係る課金を行いコインの投入を受け付けるものである。操作部１６は、テンキーボードなどにより構成され、必要な数字を入力し或いは指示入力を行う場合に用いられるもので、ユーザによるユーザ情報(暗証番号など)を受け付ける入力受付手段として機能するものである。プリンタ１７は、制御部１０により送られた情報、特に二次元バーコード情報に基づき二次元バーコードを印刷するものである。表示部１８はＬＣＤなどにより構成され制御部１０から送られた各種情報を表示するものである。タイマ１９は、時刻情報を制御部１０へ与えるものである。
【００１８】
メモリ１１には、例えば図２に示すように、暗号化及び符号化のときに用いる暗号鍵２１、当該ロッカー管理システムの動作を行うためのロッカー管理プログラム２２、暗号生成及び暗号文から平文を得るための暗号復号プログラム２３、ロッカー２に割り当てられたロッカー識別情報２４、ロッカー２における各個別箱に割り当てられた個別箱識別情報に対応して空塞情報や使用開始日時情報が記憶された箱管理情報テーブル２５が記憶されている。
【００１９】
暗号復号プログラム２３としては、例えば、特願２００１−３４６６５８号に開示のプログラムを用いることができる。ロッカー管理プログラム２２は、例えば図３〜図５に示されるフローチャートに対応するプログラムであり、制御部１０により実行されて二次元バーコード出力装置及びロッカー管理装置を実現する。ロッカー管理装置１が起動されると、制御部１０が図３〜図５に示されるフローチャートに対応するロッカー管理プログラム２２をメモリ１１から取り出し、これを実行して動作を行うので、以下にフローチャートに基づく動作を説明する。
【００２０】
スタートとなると制御部１０は、ロッカーの使用要求が操作部１６から入力されたかを検出し（Ｓ１１）、ＮＯとなると読取部１４へ二次元バーコードの入力がなされたのかを検出する（Ｓ１２）。操作部１６からロッカー使用要求が入力されると、制御部１０は箱管理情報テーブル２５を参照して個別箱に空きがあるかを検出する（Ｓ１３）。空きがない場合には、空きがないことを表示部１８へ表示してステップＳ１１へ戻る。
【００２１】
ステップＳ１３において個別箱に空きがあることが検出されると、一つの空きに係る個別箱の個別箱識別情報を箱管理情報テーブル２５から求め、この識別情報を表示部１８へ表示し（Ｓ１５）、更に、荷物を上記表示された識別情報の個別箱へ入れた後に暗証番号を入力するよう要請するメッセージを表示部１８へ表示し（Ｓ１６）、暗証番号の入力を待つ（Ｓ１７）。ステップＳ１７において所定桁の暗証番号が入力されたことを検出すると、対応の個別箱の施錠を錠制御部１２を介して行い、上記で入力された暗証番号、ロッカー識別情報、個別箱識別情報に対して暗号鍵２１を用いて、暗号復号プログラム２３による暗号化を実行すると共に、箱管理情報テーブル２５に対して該当する情報（空塞情報、使用開始日時情報等）の変更を行う（Ｓ１８）。
【００２２】
ステップＳ１８に続いて、上記において得られた暗号化の結果を二次元コードデコード部１３へ送って二次元バーコード化し（Ｓ１９）、この二次元バーコード情報と該当の個別箱識別情報をプリンタ１７へ送ってプリント出力すると共に表示部１８にて表示する（Ｓ２０）。このようにしてプリントされた結果はユーザが持ち帰り、または、カメラ付携帯電話機等にて二次元バーコード等の読み取りを行って保持する。上記において個別箱へ入れた荷物を他人に受け取らせる場合には、カメラ付携帯電話機等にて読み取った二次元バーコード等の情報について例えば電子メールを用いて転送する。これにより、荷物の受取人は二次元バーコード情報と該当の個別箱識別情報を得る。他人を荷物の受取人とする場合には、ロッカー２の位置情報と暗証番号については、例えば、電話などにより荷物の受取人へ知らせる。
【００２３】
以上のようにしてプリントされた結果を有する荷物の預け入れ本人、または、二次元バーコード情報と該当の個別箱識別情報とロッカーの位置情報及び暗証番号を取得した他人（荷物の受取人）は、プリントされた結果に係る二次元バーコードまたは携帯電話機の表示部に表示された二次元バーコードを読取部１４へかざして読み取りを行わせる。これにより、制御部１０は図３におけるステップＳ１２においてＹＥＳへ分岐し、読取部１４において得られたイメージ情報を二次元コードデコード部１３へ送ってディジタルコード化させる（Ｓ２１）、また荷物の受取人に対して暗証番号を入力するように要請するメッセージを表示部１８へ表示させ（Ｓ２２）、入力が完了されるのを待つ（Ｓ２３）。
【００２４】
ステップＳ２３において暗証番号の入力完了を検出すると、上記ステップＳ２１において得られたディジタルコードについて、暗号鍵２１を用いて暗号復号プログラム２３により復号化し、暗証番号、ロッカー識別情報、個別箱識別情報を取り出し、暗証番号は操作部１６から入力されたものと比較し、ロッカー識別情報、個別箱識別情報についてはメモリ１１の箱管理情報テーブル２５等に記憶されたものと比較し（Ｓ２４）、全てが一致したかを検出する（Ｓ２５）。
【００２５】
ステップＳ２５において全ての一致が見られない場合には、該当する個別箱がないことを表示部１８へ表示して（Ｓ２６）、ステップＳ１１へ戻る。また、ステップＳ２５において全ての一致が見られると、箱管理情報テーブル２５における該当の個別箱識別情報に対応する使用開始日時情報とタイマ１９による時刻情報と料金情報（例えば、２００円／日）に基づき課金計算を行い、残金を確認する（Ｓ２８）。
【００２６】
ステップＳ２８において残金があることを検出すると、残金の入金要請メッセージを表示部１８に表示して（Ｓ２９）残金の入金がなされたかを課金処理装置１５を介して検出する（Ｓ３０）。このステップＳ３０においてＹＥＳへ分岐した場合、またはステップＳ２８において残金無が検出できた場合には、該当個別箱の解錠を錠制御部１２を介して行い、箱管理情報テーブル２５に対して該当する情報（空塞情報、使用開始日時情報等のクリア）の変更を行う（Ｓ３０Ａ）。以上のようにして、荷物をロッカー２に預けて預けた本人が施錠し、二次元バーコードの発行を受け、本人または他人が上記二次元バーコードを用いて解錠を行うことができ、しかも二次元バーコードは暗号化されたものをバーコード化したものであるから、情報の内容が秘匿されており、例え二次元バーコードを知られたとしてもロッカーの設置位置や個別箱識別情報が知られることなく、安全に荷物を預けて引き出すことができる。なお、本実施例では、１ブロック毎のロッカーに割り当てられたロッカー識別情報と１ブロックのロッカーにおける個別の箱に割り当てられた個別箱識別情報と暗証番号による暗号化前情報を、暗号鍵により暗号化し、または暗号化された情報から暗号化前情報を得たが、暗号化前情報としてはロッカー識別情報と個別箱識別情報とを含むものであれば他に様々な情報を含めても良い。
【実施例２】
【００２７】
図５に、第２の実施例においてメモリ１１に備えられる情報が示されている。この第２の実施例ではメモリ１１において、箱管理情報テーブル２５Ａの各個別箱識別情報に対応して二次元バーコード情報の読取回数情報が記憶されている。そして、制御部１０が、図６〜図８に示されるようなフローチャートに対応するロッカー管理プログラム２２Ａを用いて動作を行う点において第１の実施例と相違し、その他において第１の実施例と同一の構成を備えている。
【００２８】
以下、図６〜図８に示されるフローチャートを用いて本実施例の動作を説明する。ロッカーの使用要求が操作部１６から入力された場合には、ステップＳ１１、Ｓ１３へと進み第１の実施例と同様に動作し、ここでＹＥＳへ分岐すると、一つの空きに係る個別箱の個別箱識別情報を箱管理情報テーブル２５から求めて決定する（Ｓ１５Ａ）。そして、暗証番号を入力するよう要請するメッセージを表示部１８へ表示し（Ｓ１６Ａ）、暗証番号の入力を待つ（Ｓ１７）。ステップＳ１７において所定桁の暗証番号が入力されたことを検出すると、対応する個別箱の施錠に関し錠制御部１２を介して行い、上記で入力された暗証番号、ロッカー識別情報、個別箱識別情報に対して暗号鍵２１を用いて、暗号復号プログラム２３による暗号化を実行すると共に、箱管理情報テーブル２５Ａに対して該当する情報（使用開始日時情報等）の変更を行う（Ｓ１８Ａ）。
【００２９】
ステップＳ１８Ａに続いて、上記において得られた暗号化の結果を二次元コードデコード部１３へ送って二次元バーコード化し（Ｓ１９）、この二次元バーコード情報と該当の個別箱識別情報をプリンタ１７へ送ってプリント出力すると共に表示部１８にて表示し、更に，この時点において提供する個別箱識別情報を表示すると共に、該当個別箱へ荷物の格納後に二次元バーコードを読み取らせるように指示するメッセージを表示部１８へ表示する（Ｓ２０Ａ）。このように、第２の実施例では、荷物を該当個別箱へ格納する前に二次元バーコード情報をプリントアウト及び表示するものである。このようにしてプリントされた結果はユーザが持ち帰り、または、カメラ付携帯電話機等にて二次元バーコード等の読み取りを行って保持する。
【００３０】
上記ステップＳ２０Ａにおけるメッセージ表示に応じてプリントされた結果に係る二次元バーコードまたは携帯電話機の表示部に表示された二次元バーコードを読取部１４へかざして読取を行わせる。これにより、制御部１０は図６におけるステップＳ１２においてＹＥＳへ分岐し、既に第１の実施例において説明した通り図７のステップＳ２１からステップＳ２５を実行する。ステップＳ２５において全ての一致が見られると、箱管理情報テーブル２５Ａの該当する個別箱識別情報に対応する二次元バーコードの読取回数を確認して（Ｓ３１）、読取回数が「０」または「１」を検出する（Ｓ３２）。
【００３１】
荷物を入れる段階においては、上記ステップＳ３２においては読取回数「０」が検出され、対応の個別箱の施錠に関し錠制御部１２を介して行い、箱管理情報テーブル２５Ａの内容を変更（二次元バーコードの読取回数を１、空塞情報を「塞」）して（Ｓ３３）、ステップＳ１１へ進む。上記において個別箱へ入れた荷物を他人に受け取らせる場合には、カメラ付携帯電話機等にて読み取った二次元バーコード等の情報について例えば電子メールを用いて転送する。これにより、荷物の受取人は二次元バーコード情報と該当の個別箱識別情報を得る。ロッカーの位置情報と暗証番号については、例えば、電話などにより荷物の受取人へ知らせる。このようにしてプリントされた結果を有する荷物の預け入れ本人、または、二次元バーコード情報と該当の個別箱識別情報とロッカーの位置情報及び暗証番号を取得した他人（荷物の受取人）は、プリントされた結果に係る二次元バーコードまたは携帯電話機の表示部に表示された二次元バーコードを読取部１４へかざして読み取りを行わせる。これ以降の動作は図７と図８に示されるフローチャートに対応する第１の実施例における動作と同様であり、ステップＳ３２においては読取回数「１」が検出されてステップＳ２７へ進む以外は、既に第１の実施例において説明した通りであるので、その説明を省略する。
【実施例３】
【００３２】
次に第３の実施例を説明する。この第３の実施例においては、荷物の配達先をロッカーとして相手にまたは荷主がロッカーから受け取りを行う場合に好適なものである。図９にシステムを示す通り、ロッカー管理装置１Ａは、プリンタ１７を備えていない。ロッカー管理装置１Ａ及びロッカー２は、設置場所に応じて複数組設けられているが、図示していない。また、この実施例では、サーバ３が通信部３３によりネットワーク６に接続され、更に、ユーザのパーソナルコンピュータ４が通信部４４によりネットワーク６に接続されている。
【００３３】
サーバ３には、ＣＰＵにより構成される制御部３０が備えられていると共に、制御部３０には、制御部３０が実行するプログラムや参照する情報が記憶されたメモリ３１が接続されている。更に、制御部３０には通信部３３の他に、二次元コードデコード部３２が接続され、ディジタルコードを二次元バーコード化し、また逆に二次元バーコードイメージをディジタルコード化するように構成されている。この第３の実施例以降第５の実施例では、１ブロック毎のロッカーに割り当てられたロッカー識別情報を含む暗号化前情報を、暗号鍵により暗号化し、この暗号化した情報を二次元バーコード情報へ変換して出力する二次元バーコード出力装置は、サーバ３（３Ａ）により実現される。
【００３４】
パーソナルコンピュータ４には、ＣＰＵにより構成される制御部４０が備えられていると共に、制御部４０には、制御部４０が実行するプログラムや参照する情報が記憶されたメモリ４１が接続されている。更に、制御部４０には通信部４４の他に、情報を表示する表示部４２及びキーボードやマウスから構成される操作部４３が接続されている。
【００３５】
上記サーバ３のメモリ３１には、図１０に示されるように、ロッカー管理プログラム２２Ｂ、暗号復号プログラム２３、各ロッカーに割り当てられたロッカー識別情報（設置場所情報を含む）２４及びそれぞれのロッカーに対応する暗号鍵２１が記憶されている。
【００３６】
また、ロッカー管理装置１Ａのメモリ１１には、図１１に示されるように、このロッカー管理装置１Ａが管理するロッカー２に対応付けられた暗号鍵２１、ロッカー管理プログラム２２Ｃ、暗号復号プログラム２３、当該ロッカー２に割り当てられたロッカー識別情報２４、ロッカー２における各個別箱に割り当てられた個別箱識別情報に対応して空塞情報や使用開始日時情報及び予約番号情報が記憶された箱管理情報テーブル２５Ｂが記憶されている。
【００３７】
パーソナルコンピュータ４の制御部４０は、メモリ４１に記憶された図１２のフローチャートに対応するプログラムを実行してロッカー使用を可能とする。一方、サーバ３の制御部３０は、ロッカー管理プログラム２２Ｂにより図１３のフローチャートに示す動作を行う。更に、ロッカー管理装置１Ａの制御部１０は、ロッカー管理プログラム２２Ｃにより図１４、図１５のフローチャートに示す動作を行う。以下、これら図１２〜図１５のフローチャートに基づき動作を説明する。
【００３８】
荷物を預けるユーザはパーソナルコンピュータ４において操作部４３を操作してサーバ３へアクセスし、ロッカー識別情報の提供を求める（図１２のＳ３５）。これに対し、サーバ３の制御部３０は図１３に示される通りロッカー情報要求の到来を待っており（Ｓ４４）、要求の到来を検出するとロッカー識別情報（設置場所情報を含む）２４を返送する（Ｓ４４Ａ）。これを受けたパーソナルコンピュータ４の制御部４０は、ロッカー識別情報、設置場所情報を表示し、所望場所に係るロッカー識別情報と暗証番号の入力要請を表示部４２へ表示し（Ｓ３６）、ロッカー識別情報と暗証番号の入力を待つ（Ｓ３７）。
【００３９】
ステップＳ３７においてロッカー識別情報と暗証番号の入力が確認されると、入力されたロッカー識別情報と暗証番号をサーバ３へ送出し（Ｓ３８）、二次元バーコード等の到来を待つ（Ｓ３９）。これに対し、サーバ３においてはロッカー識別情報等の到来を待っており（図１３のＳ４７）、ロッカー識別情報と暗証番号が到来すると、例えば予めストックしてあるユニークな予約番号を発行し、上記の暗証番号、ロッカー識別情報と予約番号に対し、当該ロッカー識別情報に対応する暗号鍵２１を用いて暗号復号プログラム２３により暗号化し（Ｓ４８）、暗号化した結果を二次元コードデコード部３２へ送って二次元バーコード情報を得る（Ｓ４９）。
【００４０】
上記ステップＳ４９に続いて二次元バーコード、ロッカー設置場所、予約番号をユーザのパーソナルコンピュータ４へ送出する（Ｓ５０）。このようにサーバ３は、二次元バーコード情報を画像情報として出力する情報出力装置を備えている。一方、パーソナルコンピュータ４においては二次元バーコード等の到来を待っており（Ｓ３９）、これが到来するので、到来した二次元バーコード、ロッカー設置場所、予約番号を表示部４２へ表示し（Ｓ４０）、プリント指示が操作部４３から入力されるかを検出し（Ｓ４１）、また終了指示が入力されたかを検出する（Ｓ４３）。ステップＳ４１においてプリント指示を検出した場合には、表示部４２に表示されている二次元バーコード情報、予約番号等をプリントアウトしてステップＳ４３へ進む。また、ステップＳ４３において終了指示の入力を検出するとエンドとなる。
【００４１】
図１４に示すように各ロッカー管理装置（例えば１Ａ）では予約番号が操作部１６から入力されたか（Ｓ５２）、二次元バーコードが読取部１４から入力されたか（Ｓ５６）を検出している。一方、パーソナルコンピュータ４において二次元バーコードの表示を得て、必要に応じてプリントを行ったユーザは、例えば、荷物の配送を配送業者へ依頼する。このときに、ロッカーの配置位置情報と予約番号と荷物を渡す。配送業者は、ロッカーの配置位置情報に基づき該当ロッカー２の設置場所へ荷物を運び、操作部１６から予約番号を入力する。
【００４２】
このとき、予約番号が操作部１６から入力されたかを検出しており（図１４のＳ５２）、ＹＥＳへ分岐して空き状態の個別箱へ荷物を入れて、その個別箱の個別箱識別情報の入力要請をするメッセージを表示１８へ表示して（Ｓ５３）、個別箱識別情報の入力完了を監視する（Ｓ５４）。ステップＳ５４において個別箱識別情報の入力完了を検出すると、該当の個別箱の施錠を行い、例えば箱管理情報テーブル２５Ｂに対して使用開始日時情報及び予約番号の登録等を行う（Ｓ５５）。
【００４３】
パーソナルコンピュータ４においてプリントされた結果はユーザが持ち、または、カメラ付携帯電話機等にて二次元バーコード等の読み取りを行って保持する。上記において個別箱へ入れた荷物を他人に受け取らせる場合には、パーソナルコンピュータ４から二次元バーコード等の情報について例えば電子メールを用いて携帯電話機やパーソナルコンピュータ等の端末へ転送する。これにより、荷物の受取人は二次元バーコード情報とロッカー設置場所、暗証番号情報を得る。
【００４４】
荷物の受取人はロッカー設置場所へ赴き、プリントされた結果に係る二次元バーコードまたは携帯電話機の表示部に表示された二次元バーコードを読取部１４へかざして読み取りを行わせる。これにより、制御部１０は図１４におけるステップＳ５５においてＹＥＳへ分岐し、図１５に示すステップＳ２１へ進む。図１５のステップＳ２１からステップＳ３０までの処理に関しては第１の実施例における図７を用いて説明したものと同様であるから、その詳細説明を省略するが、ステップＳ２４においてはディジタルコードを当該ロッカー管理装置１Ａに割り当てられた暗号鍵２１により復号化して、暗証番号、ロッカー識別情報及び予約番号を得て、箱管理情報テーブル２５Ｂに同じ予約番号が登録されたものがあるかを検出し、当該予約番号及び他の情報が全て一致する場合に課金処理（ステップＳ２９、Ｓ３０、Ｓ３０Ｄへと進む）。そして、残金の入金がなされたかを課金処理装置１５を介して検出し（Ｓ３０）、ＹＥＳへ分岐した場合には該当個別箱の解錠について錠制御部１２を介して行い、箱管理情報テーブル２５Ｂに対して該当する情報（空塞情報、使用開始日時情報及び予約番号等）の変更（クリア等）を行う（Ｓ３０Ｄ）。これにより、配送業者に荷物の配送を依頼し、所望の場所においてロッカーから荷物を送り主または荷物受取人が適切に受け取ることが可能である。
【実施例４】
【００４５】
次に第４の実施例を説明する。この第４の実施例においては、二次元バーコードによるくじを発行してロッカーに入れられた当り景品を引き取るためのシステムである。図１６にシステムを示す通り、ロッカー管理装置１Ｂはロッカー管理装置１と異なり、課金処理装置１５とプリンタ１７を備えておらず、また図９のロッカー管理装置１Ａと異なり通信部２０を備えていない。サーバ３Ａは図９におけるサーバ３とほぼ同様に構成されているが、プリンタ３４及び操作部３５を備えている点において相違している。この実施例では、ユーザが用いる端末としてはパーソナルコンピュータでも良いが、より実際的な携帯電話機５による参加の例を説明する。
【００４６】
携帯電話機５には、ＣＰＵにより構成される制御部５０が備えられていると共に、制御部５０には、制御部５０が実行するプログラムや参照する情報が記憶されたメモリ５１が接続されている。更に、制御部５０には通信部５５の他に、情報を表示する表示部５２、情報を入力するための操作部５３及びマイクロフォンやスピーカを含む電話機能を実現する音声処理部５４が備えられている。
【００４７】
上記の構成におけるシステムにおいて、上記サーバ３Ａのメモリ３１には、図１７に示されるように、ロッカー管理プログラム２２Ｄ、暗号復号プログラム２３、各ロッカーに割り当てられたロッカー識別情報（設置場所情報を含む）２４及びそれぞれのロッカー識別情報毎に対応する暗号鍵２１、ロッカー識別情報２４毎に帰属する個別箱において景品が入れられる空き状態の個別箱と存在しない個別箱の個別箱識別情報が格納された個別箱識別情報テーブル２６及びくじの発行に係るイベント番号情報２７が記憶されている。
【００４８】
また、ロッカー管理装置１Ｂのメモリ１１には、図１８に示されるように、このロッカー管理装置１Ｂが管理するロッカー２に対応付けられた暗号鍵２１、ロッカー管理プログラム２２Ｅ、暗号復号プログラム２３、当該ロッカー２に割り当てられたロッカー識別情報２４、ロッカー２における各個別箱に割り当てられた個別箱識別情報に対応して空塞情報や使用開始日時情報及びイベントに用いられる場合のイベント番号情報が記憶された箱管理情報テーブル２５Ｃが記憶されている。
【００４９】
以上のシステム構成において、ロッカー管理装置１Ｂの制御部１０は、ロッカー管理プログラム２２Ｅにより図１９のフローチャートに示す動作を行う。一方、サーバ３Ａの制御部３０は、ロッカー管理プログラム２２Ｄにより図２０のフローチャートに示す動作を行う。以下、これら図１９〜図２０のフローチャートに基づき動作を説明する。まず、イベントの主催者側において、ロッカー管理装置が管理する個別箱へ景品を入れて準備を行う。
【００５０】
ロッカー管理装置１Ｂの制御部１０は、図１９のフローチャートに示すようにイベント番号の入力を待ち受けている（Ｓ６１）。イベントの主催者側において用意したイベント番号を入力すると、箱管理情報テーブル２５Ｃを参照して空きの個別箱番号情報（一つ）を表示部１８に表示し（Ｓ６２）、操作部１６に設けられた施錠キー（所定の番号でも良い）の入力を監視する（Ｓ６３）。イベントの主催者側において用意した景品が上記表示された個別箱番号情報の個別箱へ入れられ、施錠キーが操作されると、該当個別箱番号情報の個別箱を錠制御部１２を介して施錠し、空塞情報、使用開始日時情報、イベント番号情報の登録等を行い、箱管理情報テーブル２５Ｃへの情報反映をする（Ｓ６４）。このステップＳ６１からステップＳ６４のループが必要回数繰り返され、景品が入れられる。以上のようにして、当選発表会場のロッカーに対する仕込みが完了する。イベントに使用するロッカー識別情報と個別箱識別情報とは、ネットワーク６を介して或いは別に持参して、サーバ３Ａのメモリ３１内に図１７に示されるようにテーブル化する。
【００５１】
イベントに参加するユーザは携帯電話機５により、またはサーバ３Ａの設置場所においてイベント申込またはイベントの案内発行要求を受けるものとする。サーバ３Ａでは、通信部３３を介して、或いは操作部３５からイベント申込またはイベントの案内発行要求が到来する（入力される）のを待っており（図２０のＳ７３）、当該要求の到来によりＹＥＳへ分岐してくじの発行のポインタを進める（Ｓ７４）。例えば、図１７に示すロッカー識別情報が上のものから使用をスタートし、個別箱識別情報としては左側のものから使用をスタートするものとし、この順でポインタが進められる。個別箱識別情報テーブル２６において、「３３１３」や「２２２１」などの４桁の数字は個別箱識別情報として有り得ないものであり、ハズレくじ用のものであり、「００１」や「００２」などの３桁の数字は個別箱識別情報として実在するもので、当りくじ用のもので、これらは当選落選番号情報である。個別箱識別情報は必要十分な数が用意され、ポインタが最後の個別箱識別情報を指示した以降においてはくじの発行は行われない。
【００５２】
上記ステップＳ７４に続いて、ポインタにより指示された個別箱識別情報を検索し、イベント番号情報２７、該当のロッカー識別情報２４、個別箱識別情報と別にメモリ３１に記憶された期限情報に対し、当該ロッカー識別情報２４対応の暗号鍵２１を用いて暗号復号プログラム２３を適用して暗号化を行う（Ｓ７５）。更に、ステップＳ７５において得られた暗号化結果について二次元コードデコード部３２へ送り二次元バーコード化を行う（Ｓ７６）。このように当選落選番号情報を予め暗号化前情報に含めて暗号化及び二次元バーコード情報化を行う。次に、通信部３３を介して、或いは操作部３５からイベント申込またはイベントの案内発行要求が到来したのかに基づき、出力形式を判定し（Ｓ７７）、操作部３５からであればプリンタ３４へ二次元バーコード、ロッカー場所、個別箱識別情報を送ってプリントアウトさせ（Ｓ７８）、通信であれば通信部３３から二次元バーコード、ロッカー場所、個別箱識別情報を送る（Ｓ７９）。
【００５３】
上記により、イベント参加者は二次元バーコード等が含まれた印刷物或いは二次元バーコード情報等が保持された携帯電話機５を持つことになる。印刷物等には、当選発表会場のロッカー設置場所が含まれているので、印刷物或いは携帯電話機を持参して例えば該当ロッカー２の設置場所へ赴き、読取部１４から二次元バーコードの読取を行わせる。
【００５４】
ロッカー管理装置１Ｂの制御部１０は、図１９のフローチャートに示すようにイベント番号の入力を待ち受け（Ｓ６１）、また、二次元バーコードの入力を監視している（Ｓ６５）。上記の通り、読取部１４から二次元バーコードの入力が行われると、ステップＳ６５においてＹＥＳへ分岐し、二次元バーコードイメージを二次元コードデコード部１３へ送ってディジタルコード化し（Ｓ６６）、ロッカー管理装置１Ｂの管理するロッカー２に対応する暗号鍵２１と暗号復号プログラム２３を用いてディジタルコードに対する復号化を行ってイベント番号情報、ロッカー識別情報２４、個別箱識別情報を得て箱管理情報テーブル２５Ｃの情報と比較し（Ｓ６７）、全て一致するものがあるかを検出する（Ｓ６８）。
【００５５】
ステップＳ６８において、全て一致するものがないことを検出すると、ハズレくじである旨の表示を表示部１８において行う（Ｓ６９）。また、ステップＳ６８において、全て一致するものが検出されると、復号化された期限情報とタイマ１９を参照した時刻に基づき期限内であるかを検出する（Ｓ７０）。このステップＳ７０において期限を経過していることを検出した場合には期限切れのくじである旨の表示を表示部１８において行い（Ｓ７１）、ステップＳ７０において期限内であることが検出できた場合には該当個別箱を錠制御部１２を介して解錠して、空塞情報の変更、使用開始日時情報、イベント番号情報のクリアなど箱管理情報テーブル２５Ｃにおける該当情報の変更を行い（Ｓ７２）、ステップＳ６１へ戻る。このように、ロッカー管理装置１Ｂでは、復号した暗号化前情報に含まれる当選落選番号情報に基づき当該ロッカーの対応する個別箱の施錠解錠における制御に用いる。斯して本実施例によれば、ロッカーを用いて景品の引き渡しを行うことができ、その場合に暗号化された情報を二次元コード化した情報をキーとするので、安全で適切な景品引き渡しを確保することができる。
【実施例５】
【００５６】
次に第５の実施例を説明する。この第５の実施例についても第４の実施例と同様に、二次元バーコードによるくじを発行してロッカーに入れられた当り景品を引き取るためのシステムであり、システム構成は図１６に示す通り第４の実施例と同様の構成を採用している。ただし、サーバ３Ａにおけるメモリ３１には、図２１に示されるように、ロッカー管理プログラム２２Ｆ、暗号復号プログラム２３、各ロッカーに割り当てられたロッカー識別情報（設置場所情報を含む）２４及びそれぞれのロッカー毎に対応する暗号鍵２１、ロッカー識別情報２４毎に帰属する個別箱において景品が入れられる空き状態の個別箱の個別箱識別情報が格納された個別箱識別情報テーブル２６、各空き状態の個別箱の個別箱識別情報に対応する当選番号情報（当り番号）が格納された当り番号テーブル２８及びくじの発行に係るイベント番号情報２７が記憶されている。個別箱の個別箱識別情報と当選番号情報との対応関係は、個別箱識別情報テーブル２６の欄と当り番号テーブル２８の欄とが上下に揃った情報同士が対応するものとする。
【００５７】
また、ロッカー管理装置１Ｂのメモリ１１に記憶されたロッカー管理プログラム２２Ｅは、図１９に示されるフローチャートにおいて破線により囲われた処理に代えて図２３に示すフローチャートに対応する処理を採用している。更に、サーバ３Ａにおけるメモリ３１に記憶されたロッカー管理プログラム２２Ｆは、図２０のフローチャートにおけるステップＳ７５に代えて図２２に示すフローチャートに対応する処理を採用している。以下、これら図１９、図２０、図２２、図２３のフローチャートに基づき動作を説明する。まず、イベントの主催者側において、ロッカー管理装置が管理する個別箱へ景品を入れて準備を行う。このときにロッカー管理装置１Ｂの制御部１０により行われる処理は、図１９のフローチャートにおけるステップＳ６１からステップＳ６４のループの処理であり、第４の実施と同様である。以上のようにして、当選発表会場のロッカーに対する仕込みが完了する。イベントに使用するロッカー識別情報と個別箱識別情報とは、ネットワーク６を介して或いは別に持参して、サーバ３Ａのメモリ３１内に当選番号情報が対応付けられて図２１に示されるようにテーブル化される。
【００５８】
イベントに参加するユーザは携帯電話機５により、またはサーバ３Ａの設置場所においてイベント申込またはイベントの案内発行要求を受けるものとする。サーバ３Ａでは、第４の実施例において図２０を用いて説明した通り、ステップＳ７３、Ｓ７４へと進み、ポンタが指定する個別箱識別情報及びこれに対応する当選番号情報が用いられる。ポインタの進め方は、第４の実施例と同様であるが、第４の実施例においてはポインタが最後の個別箱識別情報を指示した以降において、くじの発行は行われないこととしたが、この第５の実施例においてはポインタが最後の個別箱識別情報を指示した場合には、再び先頭に戻ってくじの発行を行う。これにより、同じ情報を持つくじが複数発行されることは許容される。
【００５９】
本実施例では、上記ステップＳ７４に続いて、ポインタにより指示された個別箱識別情報を検索し、イベント番号情報２７、対応する当選番号情報、該当のロッカー識別情報２４、個別箱識別情報と別にメモリ３１に記憶された期限情報に対し、当該ロッカー識別情報２４に対応する暗号鍵２１を用いて暗号復号プログラム２３を適用して暗号化を行う（図２２のＳ８０）。これに続いて、ステップＳ７６以降の処理が行われるが、既に第４の実施例において説明した通りであるので、重複する説明を省略する。
【００６０】
斯して、イベント参加者は二次元バーコード等が含まれた印刷物或いは二次元バーコード情報等が保持された携帯電話機５を持つことになる。印刷物等には、当選発表会場のロッカー設置場所が含まれているので、印刷物或いは携帯電話機を持参して例えば該当ロッカー２の設置場所へ赴き、読取部１４から二次元バーコードの読取を行わせる。これによりロッカー管理装置１Ｂの制御部１０では、図１９のステップＳ６１、Ｓ６５、Ｓ６６と進み、二次元バーコードイメージがディジタルコード化される。
【００６１】
次に、図２３に示される通り、ユーザ情報である当選予想番号の入力を促す表示を表示部１８において行い（Ｓ８１）、当選予想番号の入力を待つ（Ｓ８２）。当選予想番号の入力がなされると、当該ロッカー２に対応の暗号鍵２１と暗号復号プログラム２３を用いてディジタルコードに対する復号化を行ってイベント番号情報、ロッカー識別情報２４、個別箱識別情報及び当選番号情報を得て箱管理情報テーブル２５Ｃの情報及び操作部１６から入力された当選予想番号と比較し（Ｓ８３）、全て一致するものがあるかを検出する（Ｓ８４）。
【００６２】
ステップＳ８４において、全て一致するものがないことを検出すると、ハズレくじである旨の表示を表示部１８において行う（Ｓ８５）。また、ステップＳ８４において、全て一致するものが検出されると、箱管理情報テーブル２５Ｃの該当個別箱識別情報に基づき個別箱の状態が空状態か塞状態であるかを検出する（Ｓ８６）。このステップＳ８６において空状態であることが検出されると、ハズレくじである旨の表示を表示部１８において行う（Ｓ８５）。これにより、同じ情報を持つくじが複数発行されることは許容されている場合に、最先に当選した者だけが当選者となる。また、ステップＳ８６において塞状態であることが検出されると、図１９のステップＳ７０へと進む。このステップＳ７０以降はステップＳ７１による期限切れのくじである旨の表示（Ｓ７２）、また、該当個別箱について錠制御部１２を介して解錠して、空塞情報の変更、使用開始日時情報、イベント番号情報のクリアなど箱管理情報テーブル２５Ｃにおける該当情報の変更を行い（Ｓ７２）、ステップＳ６１へ戻る。斯して本実施例によれば、ロッカーを用いて景品の引き渡しを行うことができ、その場合に暗号化された情報を二次元コード化した情報をキーとし予測当選予想番号を入力するので、スリリングな抽選が実現できると共に安全で適切な景品引き渡しを確保することができる。
【００６３】
なお、この第５の実施例にあっては、１本のくじにて複数回の抽選を受けることが可能であるが、１本のくじにて１回の抽選を受ける制限を付けることもできる。例えば、くじの発行の際に１本のくじ毎にユニークなくじ番号を発行して暗号化及び二次元バーコードに含めるようにし、このくじ番号をロッカー管理装置１Ｂのメモリ１１に記憶された箱管理情報テーブル２５Ｃにおける該当の個別箱識別情報に対応して履歴として残し、同一のくじ番号が復号化されて検出された場合にハズレくじとする。
【図面の簡単な説明】
【００６４】
【図１】本発明の第１の実施例に係るロッカー管理システムの構成図。
【図２】本発明の第１の実施例に係るロッカー管理システムのロッカー管理装置に備えられているメモリ内の情報等を示す図。
【図３】本発明の第１の実施例に係るロッカー管理システムのロッカー管理装置の動作を示すためのフローチャート。
【図４】本発明の第１の実施例に係るロッカー管理システムのロッカー管理装置の動作を示すためのフローチャート。
【図５】本発明の第２の実施例に係るロッカー管理システムのロッカー管理装置に備えられているメモリ内の情報等を示す図。
【図６】本発明の第２の実施例に係るロッカー管理システムのロッカー管理装置の動作を示すためのフローチャート。
【図７】本発明の第２の実施例に係るロッカー管理システムのロッカー管理装置の動作を示すためのフローチャート。
【図８】本発明の第２の実施例に係るロッカー管理システムのロッカー管理装置の動作を示すためのフローチャート。
【図９】本発明の第３の実施例に係るロッカー管理システムの構成図。
【図１０】本発明の第３の実施例に係るロッカー管理システムのサーバに備えられているメモリ内の情報等を示す図。
【図１１】本発明の第３の実施例に係るロッカー管理システムのロッカー管理装置に備えられているメモリ内の情報等を示す図。
【図１２】本発明の第３の実施例に係るロッカー管理システムのパーソナルコンピュータにおける動作を示すためのフローチャート。
【図１３】本発明の第３の実施例に係るロッカー管理システムのサーバの動作を示すためのフローチャート。
【図１４】本発明の第３の実施例に係るロッカー管理システムのロッカー管理装置の動作を示すためのフローチャート。
【図１５】本発明の第３の実施例に係るロッカー管理システムのロッカー管理装置の動作を示すためのフローチャート。
【図１６】本発明の第４の実施例に係るロッカー管理システムの構成図。
【図１７】本発明の第４の実施例に係るロッカー管理システムのサーバに備えられているメモリ内の情報等を示す図。
【図１８】本発明の第４の実施例に係るロッカー管理システムのロッカー管理装置に備えられているメモリ内の情報等を示す図。
【図１９】本発明の第４の実施例に係るロッカー管理システムのロッカー管理装置の動作を示すためのフローチャート。
【図２０】本発明の第４の実施例に係るロッカー管理システムのサーバの動作を示すためのフローチャート。
【図２１】本発明の第５の実施例に係るロッカー管理システムのサーバに備えられているメモリ内の情報等を示す図。
【図２２】本発明の第５の実施例に係るロッカー管理システムのサーバの動作を示すためのフローチャート。
【図２３】本発明の第５の実施例に係るロッカー管理システムのロッカー管理装置の動作を示すためのフローチャート。
【符号の説明】
【００６５】
１、１Ａ、１Ｂ  ロッカー管理装置
２  ロッカー
３、３Ａ  サーバ
４  パーソナルコンピュータ
５  携帯電話機
６  ネットワーク
１０  制御部
１１  メモリ
１２  錠制御部
１３  二次元コードデコード部
１４  読取部
１５  課金処理装置
１６  操作部
１７  プリンタ
１８  表示部
１９  タイマ
２０  通信部
３０  制御部
３１  メモリ
３２  二次元コードデコード部
３３  通信部
３４  プリンタ
３５  操作部
【図１】
2007186918.tif 000003
【図２】
2007186918.tif 000004
【図３】
2007186918.tif 000005
【図４】
2007186918.tif 000006
【図５】
2007186918.tif 000007
【図６】
2007186918.tif 000008
【図７】
2007186918.tif 000009
【図８】
2007186918.tif 000010
【図９】
2007186918.tif 000011
【図１０】
2007186918.tif 000012
【図１１】
2007186918.tif 000013
【図１２】
2007186918.tif 000014
【図１３】
2007186918.tif 000015
【図１４】
2007186918.tif 000016
【図１５】
2007186918.tif 000017
【図１６】
2007186918.tif 000018
【図１７】
2007186918.tif 000019
【図１８】
2007186918.tif 000020
【図１９】
2007186918.tif 000021
【図２０】
2007186918.tif 000022
【図２１】
2007186918.tif 000023
【図２２】
2007186918.tif 000024
【図２３】
2007186918.tif 000025